(57)【要約】【課題】無線通信基板の最適なレイアウトと、シールド効果が高いカメラの提供。【解決手段】カメラの縦方向に円筒形中心軸を平行に、メインコンデンサと鏡筒駆動用モータとを並べて配置し、メインコンデンサおよびストロボ発光部をＸ方向に鏡筒駆動用モータより突出させ、鏡筒駆動用モータとの段差に無線接続基板を配置し、無線接続用フレキシブル基板を液晶表示ユニットのベゼルとシャシとの間、または、シャシと金属カバーとの間に挟んでシールド対策したことを特徴とする。更に、カバーの外観側に金属を含有した板状の部品を、前記無線接続用フレキシブル配線基板外形より広い面積で貼り付けたことを特徴とする。【選択図】  図１
2014123026.tif 000002
【特許請求の範囲】
【請求項１】
カメラの縦方向に円筒形中心軸を平行に、直径の異なるストロボ発光用コンデンサ（２２）と鏡筒駆動用モータ（２３）とを縦に並べ、小径側のストロボ発光用コンデンサ（２２）または鏡筒駆動用モータ（２３）の側面に隣接する位置に無線通信基板（１１）を配置し、且つ、無線接続用フレキシブル基板（１２）と、ストロボ発光用コンデンサ（２２）と鏡筒駆動用モータ（２３）とを接続する基板（１３）とを撮影光軸と円直方向平面上で重ならないように配置し、シャシ（４）と液晶表示ユニット（３）のベゼルまたは、シャシ（４）と金属外装（１または２）の間に配置されたことを特徴とする無線通信基板（１１）及び無線接続用フレキシブル基板（１２）のレイアウト構造のカメラ。
【請求項２】
前記無線通信基板（１１）は前記シャシ（４）にビス（６）１本で固定され、電気的に接続され、且つ、該シャシ（４）は該固定部から伸延し無線通信基板（１１）に沿って配回されたグランドパターンに接する舌片部（４ｂ）を備えてなることを特徴とする請求項１に記載のカメラ。
【請求項３】
カメラ正面から見て、前記無線通信基板（１１）は、ストロボ発光ユニット（５）の発光部の光軸より遠い側の端部より内側に配置されていることを特徴とする請求項１に記載のカメラ。
【請求項４】
カメラの縦方向に円筒形中心軸を平行に、直径の異なるストロボ発光用コンデンサ（２２）と鏡筒駆動用モータ（２３）とを縦に並べ、小径側のストロボ発光用コンデンサ（２２）または鏡筒駆動用モータ（２３）の側面に隣接する位置に無線通信基板（１１）を配置し、且つ、無線接続用フレキシブル基板（１２）と、ストロボ発光用コンデンサ（２２）と鏡筒駆動用モータ（２３）とを接続する基板（１３）とを撮影光軸と円直方向平面上で重ならないように配置し、シャシ（４）と液晶表示ユニット（３）のベゼルまたは、シャシ（４）とモールド外装（１または２）の外側に貼り付けられた、金属を含有する板との間に配置されたことを特徴とする無線通信基板（１１）及び無線接続用フレキシブル基板（１２）のレイアウト構造のカメラ。
【発明の詳細な説明】
【技術分野】
【０００１】
本発明は、無線通信機能を備えたカメラの無線通信用基板と、無線通信用基板とメイン基板とを接続するためのフレキシブル配線基板のレイアウト構造に関する。
【背景技術】
【０００２】
近年のカメラでは、撮影済みの画像を有線で接続することなく、アクセスポイントへの通信を無線で行うための無線通信用アンテナを搭載したものが多くなってきている。また、カメラのデザイン上、無線通信用アンテナを搭載していることを、殊更強調することなく他の外観部品と同一化することが望まれている。
【０００３】
また、前記使用状態では、使用者がカメラを保持したまま転送したい画像を選択することが多いため、カメラ保持状態でも無線通信が可能なカメラを提供することが望まれている。
【０００４】
従来、この種無線通信用アンテナを備えたカメラのシールド対策としては、特許文献１のように、シャシに溝を設けてフレキシブル基板を埋設させ、金属板で蓋をする構成が開示されている。
【先行技術文献】
【特許文献】
【０００５】
【特許文献１】特開２００８−１５１８４１号公報
【発明の概要】
【発明が解決しようとする課題】
【０００６】
然しながら、前記従来例では、別段の金属蓋を設けているため、部品点数が増えコストが上がってしまうという問題点がある。また、近接平行して配置するフレキシブル基板が存在しないため、本発明のように、複数のフレキシブル基板を近接配置する場合には適さない。
【０００７】
無線通信用基板もしくは無線通信用のアンテナの配置には種々の制約を伴う。例えば、金属製の外観部品の下や、カメラの使用者の手で覆われてしまう場所に配置すると、通信距離が著しく低下してしまい、データ転送に時間がかかる。または、通信ができなくなる可能性が高い。更に、無線通信用アンテナ周囲の素子は熱を持つことが多く、撮影者が触りやすい箇所には配置できないという制約がある。
【０００８】
また、価格を抑えるために外観全体をモールド樹脂で形成した製品を考えると、前記無線通信用アンテナからの放射ノイズによる人体への影響も考慮せざるをえない。
【０００９】
使い勝手を考えると、無線通信用基板は、カメラの使用者の指が触れにくい場所に配置するのがよい。また、デザイン上も無線通信用アンテナのための凸部を設けることなく平面内にきれいに配置されることが好まれる。従って、無線通信用基板はカメラグリップ側と反対側面に配置することが望ましい。
【００１０】
然しながら、無線通信用基板をカメラのグリップと反対側に配置すると、カメラの中央処理装置を搭載したメイン基板との接続用のフレキシブル配線基板が長くなることが多く、放射ノイズを発生しやすくなり、静電気にも弱くなる。該放射ノイズを抑制するためには、ノイズ発生源となる接続用フレキシブル基板をグランド電位に電気的に接続した金属体で覆うのが望ましい。
【００１１】
また、金属カバーとモールドカバーとを混在させて構成されたカメラでは、該カバー同士の割りの位置をなるべく目立たない位置に配置することが望まれている。更に、外観全てがモールドで構成されたカメラでは、カメラ内部で別体のシールド板を設ける必要が生じるため、コストがかかってしまうという課題があった。
【課題を解決するための手段】
【００１２】
本発明は、係る問題点に鑑み、無線通信用基板をカメラのグリップと反対側で、且つ、カメラの縦方向に円筒形中心軸を平行に、ストロボ発行用コンデンサと鏡筒駆動用モータとを並べて配置し、ストロボ発光用コンデンサおよびストロボ発光部を、カメラの横方向に鏡筒駆動用モータより突出させ鏡筒駆動用モータとの段差に無線通信用基板を配置し、且つ、無線通信用基板とメイン基板とを電気的に接続するフレキシブル配線基板を、液晶のベゼルと各ユニットが取り付けられ、電気的に導通することが可能なメインシャシとの間、もしくは該シャーシと金属カバーとの間に挟んでシールド対策したことを特徴とする。
【００１３】
また、前記シャーシと金属カバーに挟みきれなかったフレキシブル配線基板を、外観を構成する金属を含有する板状部材で覆うことにより、前記フレキシブル配線基板からの放射ノイズを抑え、人体に影響を与えることなく、電波法等の法的遵守も可能となる。
【発明の効果】
【００１４】
本発明は、小型で撮影者の指で隠し難い場所に無線通信用基板を配置し、デザイン的にも目立ち難いカメラを提供することと、無線接続用フレキシブル基板からの放射ノイズ対策を施すことで人体への影響を少なくすること、無線通信用基板上の素子からの発熱を効率よく拡散させて熱による機器の破壊や誤動作を防止することを目的とする。
【図面の簡単な説明】
【００１５】
【図１】本発明の実施例に係るカメラの縦断面図（図６のＡ−Ａ断面模式図）
【図２】本発明の実施例に係る主要フレキシブル基板およびメイン基板の斜視図
【図３】本発明の実施例に係る接続用フレキシブル基板とメインシャシと液晶の分解斜視図
【図４】本発明の実施例に係る主要基板と構成ユニットの背面レイアウト図
【図５】本発明の実施例に係るメインシャシの斜視図
【図６】本発明を実施したカメラの外観斜視図
【図７】本発明の実施例に係る接続用フレキシブル基板とリアカバーユニットと金属を含有する板の分解斜視図
【発明を実施するための形態】
【００１６】
以下、本発明を図面に基づいて詳しく説明する。
【実施例１】
【００１７】
図１から図７は、本発明の実施例を表す図であり、同図において同じ番号を付記したものは、同じ部材を表す。
【００１８】
図１は、本発明の実施例に係るカメラの縦断面図であり、図６のＡ−Ａ断面を表している。図２は、本発明の実施例に係る主要フレキシブル基板およびメイン基板の斜視図。図３は、本発明の実施例に係る接続用フレキシブル基板とメインシャシと液晶の分解斜視図。図４は、本発明の実施例に係る主要基板と構成ユニットの背面レイアウト図。図５は、本発明の実施例に係るメインシャシおよび無線通信基板を取り付けた斜視図。図６は、本発明を実施したカメラの外観斜視図。図７は、本発明の実施例に係る接続用フレキシブル基板とリアカバーユニットと金属を含有する板の分解斜視図である。
【００１９】
図１から図７において、１は、カメラの外観を構成するフロントカバー、２は、カメラの外観を構成するリアカバーである。３は、カメラ撮影時の被写体像や種々の操作アイコンを表示する液晶表示ユニットであるＬＣＤパネルである。４は、後述の撮影レンズを搭載し、ズーム機構やピント合わせ機構等を備えた鏡筒２１や不図示の電池ボックスユニットや後述のストロボ発光ユニット等を固着させ、電気的グランド電位となるよう構成された板金より成るメインシャシ。５は、暗所での撮影を可能にするための公知のストロボ発光ユニットである。１１は、無線通信用基板であり、該基板上に通信用アンテナおよび付属の素子を搭載している。該無線通信基板１１は、取り付けビス６でメインシャシ４に固着されている。１４は、カメラの中央処理装置であるＣＰＵを搭載し、各々のフレキシブル配線基板を電気的に接続させるためのコネクタを備えたメイン基板である。
【００２０】
１２は、前記メイン基板１４と前記無線通信用基板１１とを電気的接続するための無線接続フレキシブル基板であり、前記メイン基板１４上と前記無線通信用基板１１上にある接続コネクタに差し込み可能に構成されている。２１は、撮影レンズおよびズーム機構、光電変換素子、シャッタ機構等を搭載した、公知の鏡筒である。２２は、前記公知のストロボ発光ユニット５の電荷蓄積のための発光用コンデンサである。２３は、前記鏡筒２１に取り付けられ、ズームレンズを所望のズーム位置に移動させるための鏡筒駆動用モータである。１３は、前記鏡筒駆動用モータ２３と、前記メイン基板１４との電気的接続を可能とする鏡筒駆動用モータ接続用フレキシブル基板である。１５は金属を含有または金属製の板またはシート状部材である。該板１５は、カメラの名称や法規制マークや原産地や生産番号を付記した定格銘版を構成している。または、外観の一部を構成するロゴマークやアクセントとなる装飾部材でもよい。板１５は、カメラの下方に回り込んだ無線接続フレキシブル基板１２を覆うような大きさでリアカバー２の外観側に不図示の両面テープで貼り付けられている。
【００２１】
前記無線通信基板１１は、前記発光用コンデンサ２２と鏡筒駆動用モータとの径差を利用して配置している。また、前記無線接続フレキシブル基板１２と鏡筒駆動用モータ接続用フレキシブル基板１３とは、図１のようにＹ方向で重ならないように配置され、かつ前記メインシャシ４の凹部４ａ内に前記無線接続フレキシブル基板１２を配置してある。前記メインシャシ４は前記メイン基板１４と不図示のビス止め部により電気的に接続しグランド電位としている。
【００２２】
上記構成とすることで、図４のように、大径の発光用コンデンサ２２と小径の鏡筒駆動用モータ２３との径差に無線通信基板１１を配置することで、カメラの横方向の大きさを大きくすることなく、無線接続可能なカメラを提供することができる。また、カメラの使用者の指が触れることが少ない位置に無線通信基板１１を配置することで、無線通信の到達距離を確保し、無線通信基板１１上の素子が駆動中に熱を帯びてしまっても、撮影者に支障を与えない利点もある。
【００２３】
また、鏡筒駆動用モータ接続用フレキシブル基板１３と無線接続フレキシブル基板１２とを図２のようにカメラのＹ方向でずらして配置し、かつ図１のように二つのフレキシブル基板の間に金属体であるメインシャシ４を介在させ、無線接続フレキシブル基板１２を該メインシャシ４と液晶表示ユニット３の金属体であるベゼルの間に挟み込む構成としたことにより、該無線接続フレキシブル基板１２から放射される電磁ノイズを抑え、且つ、外部からの静電気によるカメラの破壊を防止することができる。加えて、無線通信基板１１はメインシャシ４にビス６１本で固定されているため、周囲の金属からの影響を受けにくく、電波の到達距離を伸ばすことが可能となる。また、無線通信基板１１上の不図示の素子は通信時間が長くなると、発熱量が増えるため、素子の発熱により回路を破壊してしまう可能性がある。
【００２４】
本発明では、図５のようにビス止め部の先に熱逃げ用の舌片部（４ｂ）を備えたことにより、熱電導を効率的に行うことができ、上記のような問題を防止することが可能となった。また、舌片部（４ｂ）を前記フロントカバー（１）と当接させることにより、フロントカバー（１）の変形を抑えることができ、フロントカバー（１）が金属製の場合には、そちらにも熱を逃がすことができる。
【００２５】
更に、無線通信基板１１上には金属カバーを配置できないため、該基板上はモールドカバーとしなければならない。本発明の実施形態を用いれば、金属カバーとモールドカバーとの境界線が、多少変化しても目立ち難いカメラ側面に無線通信用基板を配置しているため、金属カバーとモールドカバーとの境界線を選択するデザイン上の自由度が増え、あたかも無線通信が不可能なカメラのように仕上げることができる。
【００２６】
無線通信基板１１上の素子の発する熱を考慮すると、該無線通信基板はカメラのなるべく奥側に配置することが望ましいが、あまり奥側に配置すると、周囲の部材に遮られて通信可能距離が著しく低下する場合がある。
【００２７】
本発明では、カメラ正面から見て前記無線通信基板（１１）は、ストロボ発光ユニット（５）の発光部の光軸より遠い側の端部より内側に配置されている。この程度の距離をおいて配置することにより、カメラの使用者が該無線通信基板（１１）上の不図示の素子の熱を感じることなく、且つ、無線通信の妨げにならない位置に前記無線通信基板を配置することができる。
【符号の説明】
【００２８】
１  フロントカバー
２  リアカバー
３  液晶表示ユニット
４  メインシャシ
５  ストロボ発光ユニット
６  無線通信基板取り付けビス
１１  無線通信基板
１２  無線接続フレキシブル基板
１４  メイン基板
１５  板
２１  鏡筒
２２  発光用コンデンサ
２３  鏡筒駆動用モータ
２５  鏡筒駆動用モータ接続用フレキシブル基板
３０  カメラ
【図１】
2014123026.tif 000003
【図２】
2014123026.tif 000004
【図３】
2014123026.tif 000005
【図４】
2014123026.tif 000006
【図５】
2014123026.tif 000007
【図６】
2014123026.tif 000008
【図７】
2014123026.tif 000009